(57)【要約】【課題】筆記先端部の出没動作が滑らかに行える回転繰出式多芯筆記具を得ることを目的とした。【解決手段】摺動溝６０に、軸径方向に対して平行な二つの垂直壁６０ｂと、摺動溝６０ｂの開口部６０ｃ側に設けた平坦面６０ｅを有する内方突起６０ｄとを形成し、摺動体７に、筆記体５を嵌合させる孔部７ｃと、孔部７ｃの内側面における軸径方向を中心とする両側に形成した小突起７ｄとを設け、摺動体７の孔部７ｃに筆記体５を嵌合させた際に該筆記体５で圧接された該摺動体５の外面に生じる隆起部７ｆが、摺動ケース６の摺動溝６０ｂの垂直壁６０ｂの内方に形成される空隙部６０ｆに配され、摺動体７の平坦な両側面７ｅが摺動溝６０の内方突起６０ｄの平坦面６０ｅに摺接する。【選択図】図２
2017001185.tif 000002
【特許請求の範囲】
【請求項１】
軸筒を互いに回転可能に連設した前軸と後軸とで構成し、外方に開口部を有した複数の摺動溝を設けた摺動ケースを、前記後軸に連動して回転や前後に移動することのないよう前記前軸に連結して当該後軸内に配設し、カム係止突起が形成された摺動体および該摺動体に連結した複数の筆記体を前記摺動ケースの摺動溝にバネで後方へ弾発して収容し、前記摺動体のカム係止突起を、前記摺動溝から外方へ突出させて収容すると共に、前記後軸内に該後軸と一体にまたは別部材で形成し当該後軸に連動して回転可能に設けた回転カムのカム斜面に当接させ、前記後軸を前記前軸に対して回転することにより該後軸に連動して前記回転カムが前記摺動ケースに対して回転し、前記カム係止突起が前記カム斜面に沿って移動することで前記摺動体および前記筆記体を前後動させ、筆記先端部を前記前軸の先端開口部より出没させる回転繰出式多芯筆記具において、前記摺動溝に、軸径方向に対して平行な二つの垂直壁と、前記摺動溝の開口部側に設けた平坦面を有する内方突起とを形成し、前記摺動体に、前記筆記体を嵌合させる孔部と、前記孔部の内側面における軸径方向を中心とする両側に形成した小突起とを設け、前記摺動体の孔部に前記筆記体を嵌合させた際に該筆記体で圧接された該摺動体の外面に生じる隆起部が、前記摺動ケースの摺動溝の前記垂直壁の内方に形成される空隙部に配され、摺動体の平坦な両側面が摺動溝の内方突起の平坦面に摺接することを特徴とした回転繰出式多芯筆記具。
【発明の詳細な説明】
【技術分野】
【０００１】
本発明は、後軸を前軸に対して回転することにより後軸内に配した回転カムが回転し、軸筒内に収納した筆記体の後端に設けたカム係止突起が回転カムのカム面に沿って移動することで、摺動体および筆記体が前後動し、筆記先端部を前軸の先端開口部より出没可能とした回転繰出式多芯筆記具に関するものである。
【背景技術】
【０００２】
従来、特許文献１にあるように、軸筒を互いに回転可能に連設した前軸と後軸とで構成し、外方に開口部を有した複数の摺動溝を設けた摺動ケースを、後軸に連動して回転や前後に移動することのないよう前軸に連結して当該後軸内に配設し、カム係止突起が形成された摺動体および該摺動体に連結した筆記体を、摺動ケースの摺動溝にバネで後方へ弾発して収容し、摺動体のカム係止突起を、摺動溝から外方へ突出させて収容すると共に、後軸内に該後軸と一体にまたは別部材で形成し当該後軸に連動して回転可能に設けた回転カムのカム斜面に当接させ、後軸を前軸に対して回転することにより後軸に連動した回転カムが摺動ケースに対して回転し、カム係止突起がカム面に沿って移動することで摺動体および筆記体を前後動させ、筆記先端部を前軸の先端開口部より出没させる回転繰出式筆記具はよく知られている。
【０００３】
前述したような回転繰出式筆記具では、摺動体と筆記体との連結を、前方が開口した摺動体の孔部に筆記体の後端部を嵌合させて連結する構造が多く、摺動体と筆記体とを嵌合させやすくするために、摺動体の孔部の内側面における軸径方向を中心にした両側に小突起を形成してある。また、摺動体の孔部に筆記体を嵌合させた際に、筆記体で圧接された小突起の位置に生じる摺動体の外側面の隆起部を見込んだクリアランスが摺動ケースの摺動溝と摺動体の側面との間に設けられており、回転操作時における回転カムの回転力が摺動体へ掛かった際には、摺動体が摺動溝内で横方向へ振れやすく、摺動溝を摺動する摺動体の動きが悪くなってしまう場合があった。
特に、軸筒内へ複数の筆記体を配設した回転繰出式多芯筆記具では、摺動体同士の間隔が狭く、回転カムのカム斜面が急になるため、回転カムのカム斜面で摺動体に横方向からの大きな力を掛かり、摺動体が大きく横に振れて、筆記先端部の出没動作を悪くしてしまう場合があった。
【先行技術文献】
【特許文献】
【０００４】
【特許文献１】特開２０１０−６４４０５号公報
【発明の概要】
【発明が解決しようとする課題】
【０００５】
本発明では、筆記先端部の出没動作が滑らかに行える回転繰出式多芯筆記具を得ることを目的とした。
【課題を解決するための手段】
【０００６】
本発明は、
「軸筒を互いに回転可能に連設した前軸と後軸とで構成し、外方に開口部を有した複数の摺動溝を設けた摺動ケースを、前記後軸に連動して回転や前後に移動することのないよう前記前軸に連結して当該後軸内に配設し、カム係止突起が形成された摺動体および該摺動体に連結した複数の筆記体を前記摺動ケースの摺動溝にバネで後方へ弾発して収容し、前記摺動体のカム係止突起を、前記摺動溝から外方へ突出させて収容すると共に、前記後軸内に該後軸と一体にまたは別部材で形成し当該後軸に連動して回転可能に設けた回転カムのカム斜面に当接させ、前記後軸を前記前軸に対して回転することにより該後軸に連動して前記回転カムが前記摺動ケースに対して回転し、前記カム係止突起が前記カム斜面に沿って移動することで前記摺動体および前記筆記体を前後動させ、筆記先端部を前記前軸の先端開口部より出没させる回転繰出式多芯筆記具において、前記摺動溝に、軸径方向に対して平行な二つの垂直壁と、前記摺動溝の開口部側に設けた平坦面を有する内方突起とを形成し、前記摺動体に、前記筆記体を嵌合させる孔部と、前記孔部の内側面における軸径方向を中心とする両側に形成した小突起とを設け、前記摺動体の孔部に前記筆記体を嵌合させた際に該筆記体で圧接された該摺動体の外面に生じる隆起部が、前記摺動ケースの摺動溝の前記垂直壁の内方に形成される空隙部に配され、摺動体の平坦な両側面が摺動溝の内方突起の平坦面に摺接することを特徴とした回転繰出式多芯筆記具。」である。
【発明の効果】
【０００７】
本発明の回転繰出式多芯筆記具は、摺動体の孔部に筆記体を嵌合させた際に該筆記体で圧接された該摺動体の外面に生じる隆起部が、摺動ケースの摺動溝の垂直壁の内方に形成される空隙部に配され、摺動体の平坦な両側面が摺動溝の内方突起の平坦面に摺接することで、摺動体の隆起部が摺動溝内を摺動する該摺動体の動きを阻害することなく、滑らかに筆記体の筆記先端部の出没動作が行える回転繰出式多芯筆記具を得ることができた。
【図面の簡単な説明】
【０００８】
【図１】本実施例の回転繰出式多芯筆記具の側面図で、全ての筆記先端部が軸筒内に没入した状態である。
【図２】図１のＡ−Ａ線拡大端面図である。
【図３】本実施例の回転繰出式多芯筆記具の側面図で、筆記先端部を軸筒の先端開口部より突出させた状態である。
【図４】摺動体と筆記体とを分割した状態を示す縦断面図である。
【図５】図４のＢ−Ｂ線断面図である。
【図６】摺動体と筆記体とを連結した状態を示す縦断面図である。
【図７】図６のＣ−Ｃ線断面図である。
【発明を実施するための形態】
【０００９】
以下、図面を参照して本実施例の回転繰出式多芯筆記具について説明をするが、本発明は以下の実施例に限定されるものではない。本実施例では、軸筒内に三本の筆記体を備えた回転繰出式多芯筆記具について説明を行い、筆記先端部がある側を前方と表現し、その反対側を後方と表現し、また軸筒の軸心に対して直交し摺動体の中心を通る仮想線を軸径方向と表現する。尚、三本の筆記体は各々異なるインキ色のボールペン体であるが、本実施例の説明においては同一符号を付してある。
【００１０】
図１は全ての筆記先端部が軸筒内に没入した状態であり、図２は図１のＡ−Ａ線拡大端面図である。回転繰出式多芯筆記具１は、軸筒２を透明樹脂で成形した前軸３と後軸４とで構成し、後軸４を前軸３に対して回転可能に配設してある。前軸３には不透明なグリップ３０を被覆してある。また、後軸４の後端部には、螺合により着脱可能なキャップ４０を設けてあり、キャップ４０を取り外すことで、後軸４の内部にテープ転写具や蛍光マーカー等の他の物品を収容できる構造とした。本実施例では、軸筒２内にボールペン体である三本の筆記体５を収納してある。また軸筒２内には、筆記体５の筆記先端部５ａを軸筒２の先端開口部２ａから繰出すための回転繰出機構を設けてある。
【００１１】
次に前記回転繰出機構について説明を行う。本実施例では、前軸３の後方端部に螺合した摺動ケース６の後端部６ａを後軸４の内方に突設した突起部４ａに係合させ、後軸４を前軸３に対して回転可能に連設してある。摺動ケース６には前後が開口し軸心に沿った方向へ延びる三つの摺動溝６０を同形状で形成してある。
各々の摺動溝６０には、前方に筆記体５を連結した摺動体７を収容し、前記各摺動体をコイルスプリング８によって後方へ弾発してある。前記摺動体７の側面には、後方に向かって尖った頂部７ａを有したカム係止突起７ｂを形成してある。後軸４の内側面には、軸心に沿った方向へ変位するように形成したカム斜面４ｂを有した回転カム４ｃを設け、前記カム係止突起７ｂが当接するようにしてあり、後軸４を前軸３に対して回転することで、回転カム４ｃを回転させて、カム斜面４ｂと該カム斜面４ｂに当接した各摺動体７のカム係止突起７ｂとのカム作用で筆記体５を前後動させ、回転カム４ｃの先端に形成した係止凹部４ｄに摺動体７の尖った頂部７ａを係止させ、図３に示すように筆記体５の筆記先端部５ａを軸筒の先端開口部２ａより出没させた状態で維持することができる。
【００１２】
次に図４〜図７を用いて摺動体と筆記体との関係について詳述を行う。図４は摺動体７と筆記体５とを分割した状態を示す縦断面図であり、図５は図４のＢ−Ｂ線断面図である。図に示すように摺動体７は、筆記体５を嵌合させる下方が開口した孔部７ｃと、孔部７ｃの内側面における軸径方向を中心とする両側及び軸径方向に形成した小突起７ｄとを設けてある。図６は摺動体７と筆記体５とを連結した状態を示す縦断面図であり、図７は図６のＣ−Ｃ線断面図である。図に示すように、摺動体７の孔部７ｃに筆記体５を嵌合させた際には、摺動体７の小突起７ｄが筆記体５で圧接されて平坦な両側面７ｅに隆起部７ｆが生じる。
【００１３】
次に前記図２を用いて摺動ケースと摺動体との関係について詳述を行う。摺動溝６０は、軸筒２の中心側に形成した半円形状の湾曲壁６０ａと、湾曲壁６０ａに連設した軸径方向に対して平行な二つの垂直壁６０ｂと、開口部６０ｃ側に設けた内方突起６０ｄとを設けてある。内方突起６０ｄには、摺動体７の平坦な両側面７ｅを摺接させる平坦面６０ｅを設けてある。
【００１４】
本実施例では、摺動体７の外面に生じた隆起部７ｆが、摺動ケース６の垂直壁６０ｂの内方に形成される空隙部６０ｆに配されるので、摺動体７の摺動が隆起部７ｆによって阻害されることがなく、また摺動体７の平坦な両側面７ｅが、摺動溝６０の内方突起６０ｄの平坦面６０ｅに摺接することから、回転カム４ｃの回転力が摺動体７に掛かった際にも、摺動体７が摺動溝６０内で横方向へ振れることなく、摺動体７が摺動溝６０内を滑らかに摺動して、図３に示すように軸筒２の先端開口部２ａより筆記先端部５ａを出没させることができた。
【符号の説明】
【００１５】
１…回転繰出式多芯筆記具、
２…軸筒、２ａ…先端開口部、
３…前軸、３０…グリップ、
４…後軸、４０…キャップ、４ａ…突起部、
４ｂ…カム斜面、４ｃ…回転カム、４ｄ…係止凹部、
５…筆記体、５ａ…筆記先端部、
６…摺動ケース、６ａ…後端部、６０…摺動溝、
６０ａ…湾曲壁、６０ｂ…垂直壁、６０ｃ…開口部、
６０ｄ…内方突起、６０ｅ…平坦な平坦面、６０ｆ…空隙部、
７…摺動体、７ａ…尖った頂部、７ｂ…カム係止突起、
７ｃ…孔部、７ｄ…小突起、７ｅ…平坦な両側面、
７ｆ…隆起部、
８…コイルスプリング。
【図１】
2017001185.tif 000003
【図２】
2017001185.tif 000004
【図３】
2017001185.tif 000005
【図４】
2017001185.tif 000006
【図５】
2017001185.tif 000007
【図６】
2017001185.tif 000008
【図７】
2017001185.tif 000009